(57)【特許請求の範囲】
【請求項１】
浴槽の長手方向に沿う側面に隣接して配置されるフレームと、前記フレームの上に設置されるフロアとからなる衛生設備室用床であって、
前記フレームは、作業用開口部と脚部とを備え、
前記フロアは、ともに前記浴槽の長手方向の衛生設備室の幅に幅を合わせて前記フレーム上に設置される排水口を備えた排水部フロアと主フロア、および一対の側部壁載置部材からなり、
前記排水部フロアには、前記排水口に向けた水勾配が設けられ、
前記一対の側部壁載置部材は、壁載置部と、前記壁載置部の上面から上方に突出しその上面が前記排水部フロアに向かって下り傾斜になるフロア載置部とを備えて前記フレームの上面両側に設置され、
前記主フロアは平板で構成され、前記排水部フロアに向いた水勾配が形成された状態で前記フロア載置部に設置されていることを特徴とする衛生設備室用床。
【請求項２】
浴槽の長手方向に沿う側面に隣接して、作業用開口部と脚部とを備えるフレームと、前記フレームの上に設置されるフロアとを設置する衛生設備室用床の施工方法であって、
前記フレーム上の一方に、排水部フロアを設置する排水部フロア設置工程と、
前記排水部フロア設置工程の後に、前記フレーム上の他方の両側に、壁載置部と、前記壁載置部の上面から上方に突出しその上面が前記排水部フロアに向かって下り傾斜になったフロア載置部を備えた一対の側部壁載置部材を設置するとともに、前記一対の側部壁載置部材上に、前記排水部フロアの幅に幅を揃えて主フロアを設置する主フロア設置工程とを備えたことを特徴とする衛生設備室用床の施工方法。
【発明の詳細な説明】
【技術分野】
【０００１】
本発明は、浴槽を備えた浴室や、浴槽の他に洗面設備や便器も備えた浴室等の衛生設備室に設置される衛生設備室用床およびその施工方法に関する。
【背景技術】
【０００２】
従来から、システムバス等の衛生設備室には、浴槽の側部に洗い場を形成する衛生設備室用床が設置されている。この衛生設備室用床としては大きさの異なる複数種類の成形品からなるものを準備して、衛生設備室を設置するスペースに応じて決定した衛生設備室の広さに適した衛生設備室用床を選択して使用している。しかしながら、これによると大きさの異なる複数種類の衛生設備室用床を成形しなければならないため、金型等の費用がかさむようになる。このような費用を減少させるために、大きさの調節ができる衛生設備室用床も開発されている（例えば、特許文献１参照）。
【０００３】
この衛生設備室用床（寸法可変式床パン）は、洗い場部と、浴槽載置部とをそれぞれ２枚の分割片と、各２枚の分割片間に設置される蓋プレートとで構成している。そして、それぞれの２枚の分割片の対向する部分には、互いに重なった状態で摺接することにより重なった部分の幅を変更できる幅寸法調整部が設けられている。また、蓋プレートとしては、予め大きなものを準備して、この蓋プレートを、適宜、幅寸法調整部の幅に切断して幅寸法調整部上に設置している。これによって、洗い場部と、浴槽載置部との寸法を調整することができ、幅寸法調整部の上部は蓋プレートで覆うことができる。
【先行技術文献】
【特許文献】
【０００４】
【特許文献１】特開平８−２７８５６号公報
【発明の概要】
【０００５】
衛生設備室を組み立てる際には、洗い場部と浴槽載置部だけでなく、浴槽、壁面部等の設置や各種の配管等の接続も必要になる。しかしながら、前述した衛生設備室用床では、床下での作業に対する配慮がなされていないため、床下での配管接続の作業がし難いという問題がある。
【０００６】
本発明は、前述した問題に対処するためになされたもので、その目的は、衛生設備室を設置するスペースに合わせて大きさを調整でき、さらにその施工が容易になる衛生設備室用床およびその施工方法を提供することである。なお、本発明において、衛生設備室とは、少なくとも、浴槽と洗い場とを有する浴室をいい、浴槽と洗い場と洗面設備とを有する浴室や、浴槽と洗い場と洗面設備と便器とを有する浴室など他の設備を有するものを含むものとする。また、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る衛生設備室用床の構成上の特徴は、浴槽（３５）の長手方向に沿う側面（浴槽の長辺側の側面）に隣接して配置されるフレーム（１０）と、フレームの上に設置されるフロア（２０）とからなる衛生設備室用床（Ａ）であって、フレームは、作業用開口部（１６）と脚部（１２ａ，１２ｂ）とを備え、フロアは、ともに浴槽の長手方向の衛生設備室の幅に幅を合わせて前記フレーム上に設置される排水口（２１ｅ）を備えた排水部フロア（２１）と主フロア（２５）、および一対の側部壁載置部材（２２，２３）からなり、排水部フロアには、排水口に向けた水勾配（ｂ）が設けられ、一対の側部壁載置部材は、壁載置部（２２ａ，２３ａ）と、壁載置部の上面から上方に突出しその上面が排水部フロアに向かって下り傾斜になるフロア載置部（２２ｂ，２３ｂ）とを備えてフレームの上面両側に設置され、主フロアは平板で構成され、排水部フロアに向いた水勾配（ａ）が形成された状態で前記フロア載置部に設置されていることにある。
【０００８】
本発明に係る衛生設備室用床は、フレーム上に設置される排水部フロアと主フロアとして、切断し、サイズ調整し得る大きさのものを準備しておく。そして排水部フロアと主フロアとを、それぞれ切断して設置することにより、衛生設備室用床の大きさを任意のものにすることができる。また、フレームについては、例えば、棒状の部材を所定の長さに切断して枠状に組み立てることにより、各種サイズに対応できる。
【０００９】
さらに、フレームには、作業用開口部と脚部とが備わっている。このため、配管接続作業等の床下で行う作業の終了後に主フロアを設置するようにして、その間、作業用開口部が開口した状態にしておくと、フレームに設けた脚部により、フレームの下方に生じた空間に、作業用開口部から手を延ばして配管の接続作業等を行うことができる。なお、脚部としては、高さ調節ができるものを用いることが好ましい。
【００１０】
本発明に係る衛生設備室用床には、排水部フロアには、排水口に向けた水勾配が設けられ、主フロアは平板で構成され、排水部フロアに向けた水勾配が形成されるように設置されている。これによると、施工後の使用の際に、衛生設備室用床上の湯水が排水口に向かって流れるため、衛生設備室用床上に湯水が溜まることがなくなる。また、主フロアを平板で構成しているため、主フロアをどの部分で切断しても、その切断面形状、すなわち、排水部フロアと隣接する側面形状が同じになるので、切断するだけで排水部フロアと隣接して設置することができる。
【００１１】
本発明に係る衛生設備室用床の施工方法の構成上の特徴は、浴槽の長手方向に沿う側面に隣接して、作業用開口部と脚部とを備えるフレームと、フレームの上に設置されるフロアとを設置する衛生設備室用床の施工方法であって、フレーム上の一方に、排水部フロアを設置する排水部フロア設置工程と、排水部フロア設置工程の後に、フレーム上の他方の両側に、壁載置部と、壁載置部の上面から上方に突出しその上面が排水部フロアに向かって下り傾斜になったフロア載置部を備えた一対の側部壁載置部材を設置するとともに、一対の側部壁載置部材上に、排水部フロアの幅に幅を揃えて主フロアを設置する主フロア設置工程とを備えたことにある。
【００１２】
本発明によると、フロアを構成する排水部フロアと主フロアとを、それぞれ所定の大きさに切断して設置することにより、衛生設備室用床の大きさを衛生設備室のスペースに合った大きさにすることができる。また、各工程の最後に、主フロアを設置してフレームの作業用開口部を塞ぐようにしているので、作業用開口部を利用して床下での配管の接続作業等が容易になる。
【図面の簡単な説明】
【００１３】
【図１】本発明の一実施形態に係る衛生設備室用床を示した斜視図である。
【図２】本発明の一実施形態に係る衛生設備室用床を示した平面図である。
【図３】表面材を除いた衛生設備室用床の分解斜視図である。
【図４】表面材を除いた衛生設備室用床を示しており、（ａ）は平面図、（ｂ）は正面図、（ｃ）は側面図である。
【図５】図４（ａ）の５−５断面図である。
【図６】図４（ａ）の６−６断面図である。
【図７】図４（ａ）の７−７断面図である。
【図８】衛生設備室用床が取り付けられたシステムバスを示した斜視図である。
【図９】衛生設備室用床の水勾配を示した説明図である。
【発明を実施するための形態】
【００１４】
以下、本発明の一実施形態を図面を用いて説明する。図１および図２は、同実施形態に係る衛生設備室用床Ａを示しており、この衛生設備室用床Ａは、システムバスＢ（図８参照）の洗い場側の床面を構成するものである。衛生設備室用床Ａは、フレーム１０と、フレーム１０の上部に設置されたフロア２０と、フロア２０の上面に張り付けられた表面材３０とで構成されており、図３は、表面材３０を除いた衛生設備室用床Ａを分解した状態を示している。また、図４には、図３に示した各部材を組み付けた状態を示しており、図４（ａ）は上方から見た状態、図４（ｂ）は前方から見た状態、図４（ｃ）は側方から見た状態を示している。なお、図２ないし図４は、衛生設備室用床Ａを模式的に示した図であり、各部分の寸法関係等については実際のものとは異なっている。
【００１５】
フレーム１０は、図３に示したように、金属製の中空角材を枠状に組み立てて構成されるフレーム本体１１と、フレーム本体１１の前端部の下面両側に設けられた２個の脚部１２ａと、フレーム本体１１の後部の下面両側に設けられた２個の脚部１２ｂ（図４（ｃ）参照）とで構成されている。本実施形態においては、図２を基準として、図２の左右方向を左右方向とし、図２の上下方向を前後方向（下方が前方で上方が後方）として説明する。フレーム本体１１は、衛生設備室を設置するスペースに応じて決定した衛生設備室の寸法に合わせて切断され、洗い場の前後の奥行き分間隔を保って配置された一対の前桟１３ａ，後桟１３ｂと、前桟１３ａ，後桟１３ｂの対向する端部どうしを接続する一対の左桟１４ａ，右桟１４ｂとからなる四角形の外枠を備えている。
【００１６】
後桟１３ｂの近傍には、後桟１３ｂに平行して延びる中桟１３ｃが配置されており、その両端は左桟１４ａ，右桟１４ｂに固定されている。また、前桟１３ａと中桟１３ｃとの間には、左桟１４ａと右桟１４ｂとの間隔を略３等分するようにして一対の補強桟１５ａ，１５ｂが配置されており、その両端はそれぞれ前桟１３ａと中桟１３ｃとに固定されている。これらの各桟は、溶接で固定されている。なお、各桟は、ボルト等の固定部材で固定してもよい。なお、中桟１３ｃは、後桟１３ｂとの間の寸法が後述する排水部フロア２１の前後方向の長さに対応するように設置される。また、前桟１３ａ、中桟１３ｃ、左桟１４ａおよび右桟１４ｂで囲まれる３つの空間で本発明に係る作業用開口部１６が形成される。
【００１７】
脚部１２ａは、前桟１３ａの下面における左右両側部分に設けられ、脚部１２ｂは、中桟１３ｃの下面における左右両側部分に設けられている。この脚部１２ａ，１２ｂは、ともに、前桟１３ａ、中桟１３ｃに固定され内部にねじが形成された筒状部と、筒状部のねじに螺合するねじが外周に形成され下部に略円板状の支持面が形成された支持部とで構成されている。このため、筒状部に対して支持部を回転させることにより、フレーム１０の高さを調節することができる。
【００１８】
フロア２０は、それぞれ樹脂の成形体からなる排水部フロア２１と、一対の側部壁載置部材２２，２３（図５参照）と、前部壁載置部材２４と、主フロア２５とで構成されている。排水部フロア２１は、左右に長い長方形のフロア２１ｇの中央に略四角箱形の排水口部２１ａが形成され、フロア２１ｇの後縁部に上方に突出する堰２１ｂが形成されるとともに、前縁部に段差部からなるフロア載置部２１ｃが形成された構成をしている。また、フロア２１ｇの上面における堰２１ｂの前部には左右両端から排水口部２１ａに向かって下り傾斜になった排水用溝２１ｄが堰２１ｂに沿って形成されている。そして、排水口部２１ａの底部には外部に連通する排水口２１ｅが形成されている。
【００１９】
フロア２１ｇの上面は、前部から後部にかけて下り傾斜になった傾斜面に形成されている。すなわち、このフロア２１ｇの上面は、前部から後部に向かって下り、後部では左右両側から中央に向かって下り排水口部２１ａに連なっている。この排水部フロア２１は、大き目に形成されたものをフレーム１０の後部上面に設置できるように、左桟１４ａと右桟１４ｂとの外側面間の幅に合わせて切断して使用される。その切断の際に、排水部フロア２１の両側部には、それぞれ図１に示した段差部からなる壁載置部２１ｆが形成される。また、壁載置部２１ｆの下部外側面が、それぞれ左桟１４ａと右桟１４ｂとの外側面よりも外側に位置するように、壁載置部２１ｆの下部を外側に突出させる。
【００２０】
側部壁載置部材２２は、図４（ｃ）に示したように、左桟１４ａの上面に設置されて、排水部フロア２１の壁載置部２１ｆと連続する壁載置部を形成するとともに、主フロア２５の左縁部を支持するものである。側部壁載置部材２２は、上下面が平行する平面で構成された細長い角柱状に形成された壁載置部２２ａと、壁載置部２２ａの上面における右側部分に形成され、上面が前部から後部にかけて下り傾斜になったフロア載置部２２ｂとで構成されている。また、壁載置部２２ａの前端部は、フロア載置部２２ｂの前端部よりも前方に突出しており、これによって、側部壁載置部材２２の左側面と前面とには連続した段差が形成されている。
【００２１】
側部壁載置部材２３は、側部壁載置部材２２と左右対称に形成されており、壁載置部２３ａとフロア載置部２３ｂとで構成されている。この側部壁載置部材２３は、排水部フロア２１の右側の壁載置部２１ｆと連続する壁載置部を形成するとともに、主フロア２５の右縁部を支持するものである。
【００２２】
前部壁載置部材２４は、前桟１３ａの上面に設置されて、壁載置部２２ａ，２３ａと連続する壁載置部を形成するとともに、図７に示したように、主フロア２５の前縁部を支持するものである。前部壁載置部材２４は、上下面が平行する平面で構成された細長い角柱状に形成された壁載置部２４ａと、壁載置部２４ａの上面における後部側から上方に突出し、上面が前部から後部にかけて下り傾斜になったフロア載置部２４ｂとで構成されている。この前部壁載置部材２４は、壁載置部２４ａの前部を前桟１３ａの前面よりも前方に突出させて前桟１３ａの上面に設置される。なお、排水部フロア２１、側部壁載置部材２２，２３および前部壁載置部材２４は、それぞれボルト等でフレーム１０に固定される。
【００２３】
主フロア２５は、厚みが排水部フロア２１のフロア載置部２１ｃの段差高さと略同じ寸法で、左右および前後の寸法が、想定した最大の大きさ、例えば、左右が２ｍで前後が２ｍの平板で構成されている。そして、前後の長さが前桟１３ａと中桟１３ｃとの間の寸法と略一致し、左右の寸法が、左桟１４ａと右桟１４ｂとの間の寸法と略一致するように切断される。この主フロア２５は、フロア載置部２１ｃ，２２ｂ，２３ｂ，２４ｂの上面に設置され、外周側の所定部分がボルト等で排水部フロア２１、側部壁載置部材２２，２３および前部壁載置部材２４に固定される。また、補強桟１５ａ，１５ｂの上面には、主フロア２５の中央部分を支持する支持部材２６が設置されている。
【００２４】
表面材３０は、厚みが、１〜３ｍｍの樹脂シートで構成されており、フロア２０における堰２１ｂ、排水口部２１ａおよび排水用溝２１ｄを除いた部分の上面に載置されている。この表面材３０の表面には、滑り止めの目的と、美観を向上させる目的のための凹凸模様が施されている。また、表面材３０は、排水部フロア２１と主フロア２５の境界部の繋ぎ目を隠す機能や、クッション性および防水性を向上させる機能も備えている。
【００２５】
つぎに、前述した各部材を用いて構成される衛生設備室用床Ａの施工方法を説明する。衛生設備室用床Ａを、所定のスペースに設置してシステムバスＢを施工する場合には、まず、洗い場のスペースに合わせてフレーム１０を組み立てる。この場合、前桟１３ａ、後桟１３ｂ、左桟１４ａおよび右桟１４ｂを洗い場スペースの前後および左右の寸法に合わせて切断し、四角枠状に組み立てる。つぎに、中桟１３ｃを、左桟１４ａと右桟１４ｂとの内側面間の寸法に切断し、排水部フロア２１の前後の寸法分後桟１３ｂから距離を保たせて左桟１４ａと右桟１４ｂとに固定する。
【００２６】
ついで、左桟１４ａから所定距離を保たせて、補強桟１５ａを前桟１３ａと中桟１３ｃに固定し、右桟１４ｂから所定距離を保たせて、補強桟１５ｂを前桟１３ａと中桟１３ｃに固定する。そして、前桟１３ａの下面に、２個の脚部１２ａを取り付け、中桟１３ｃの下面に、２個の脚部１２ｂを取り付ける。これによって、脚部１２ａ，１２ｂを備え、後部を除く大部分が作業用開口部１６になったフレーム１０が形成される。
【００２７】
つぎに、フレーム１０の上面の後部に排水部フロア２１を設置し、フレーム１０の上面の左右における排水部フロア２１の前側に側部壁載置部材２２，２３を設置するとともに、フレーム１０の前部に前部壁載置部材２４を設置する。このとき、排水部フロア２１、側部壁載置部材２２，２３および前部壁載置部材２４は、それぞれフレーム１０の各部分の長さに合わせて切断する。ついで、排水部フロア２１、側部壁載置部材２２，２３および前部壁載置部材２４が設置されたフレーム１０の後部を、浴槽用防水パン３６（図８参照）の前部壁の上端縁部に係合させる。この係合は所定の取付用部材等を用いて行う。そして、脚部１２ａ，１２ｂを調節して、フレーム１０の高さを調節する。
【００２８】
つぎに、フレーム１０と浴槽用防水パン３６との周囲に壁面部３７およびドア（図示せず）を設置するとともに、壁面部３７およびドアの上部に天井部（図示せず）を設置する。このとき、各壁面部３７の下端面が壁載置部２１ｆ，２２ａ，２３ａ，２４ａの上面に位置するようにする。なお、ドアは、衛生設備室用床Ａの前部中央に設置する。そして、衛生設備室内に浴槽３５を搬入して、浴槽用防水パン３６の内部上面に設置する。
【００２９】
つぎに、フレーム１０の高さ調整、排水部フロア２１の排水口部２１ａの底部の排水口２１ｅと排水管の接続等のフロア２０の下での作業を行う。このとき、作業者は、作業用開口部１６から排水部フロア２１やフレーム１０の下部側に手を延ばして作業を行う。そして、排水部フロア２１の後縁部と浴槽３５の前部上縁部との間にエプロン３５ａを設置したのちに、主フロア２５を作業用開口部１６の周囲に位置するフロア載置部２１ｃ，２２ｂ，２３ｂ，２４ｂの上面に設置して、図８の状態にする。このとき、主フロア２５の左右の側面および前面は、フロア載置部２２ｂ，２３ｂ，２４ｂの外縁部に一致する。そして、フロア２０の上面に表面材３０を貼り付けてシステムバスＢが完成する。これによって、表面材３０の表面には、図９に示したように、前部から後部に向かう水勾配ａと、後部で左右両側から中央に向かう水勾配ｂとが形成される。
【００３０】
このように、本実施形態に係る衛生設備室用床Ａでは、排水部フロア２１、主フロア２５等の各部材としてそれぞれ大きなものを１種類だけ準備するようにしている。そして、衛生設備室を設置するスペースに合わせて決定した衛生設備室の広さに応じて、排水部フロア２１、主フロア２５等を、切断するようにしている。このため、少ない種類の成形用金型で種々のサイズの衛生設備室用床Ａを形成することができる。また、フレーム１０には、脚部１２ａ，１２ｂと作業用開口部１６とが備わっている。このため、主フロア２５を、フロア２０を設置する工程の最後に設置することにより、作業用開口部１６を利用してや衛生設備室用床Ａの下部空間での作業ができるため、配管の接続作業等を容易に行うことができる。
【００３１】
さらに、主フロア２５は、排水部フロア２１に向けた水勾配が設けられた平板で構成され、フロア２１ｇには前部から後部に向けた水勾配が設けられている。そして、排水部フロア２１には、左右両端から排水口部２１ａに向かって下り傾斜になった排水用溝２１ｄが形成されている。このため、施工後の使用の際に、衛生設備室用床Ａ上の湯水が排水口部２１ａに向かって流れるようになり、衛生設備室用床Ａ上に湯水が溜まることがなくなる。また、主フロア２５を平板で構成しているため、主フロア２５をどの部分で切断しても、排水部フロア２１との境界部に段差がない連続した面のように形成することができる。
【００３２】
また、本発明に係る衛生設備室用床は、前述した実施形態に限定するものでなく、本発明の技術的範囲において適宜変更して実施することができる。例えば、衛生設備室としては、前述した浴槽３５だけを備えたシステムバスＢに限らず、浴槽３５の他に、洗面設備を備えたシステムバスとしてもよい。また、前述した実施形態では、浴槽３５を浴槽用防水パン３６上に設置しているが、この浴槽用防水パン３６は用いなくてもよい。その場合、衛生設備室用床Ａは、取付用部材等を用いて、直接浴槽３５に係合させる。また、表面材３０としては、樹脂シートに代えてタイルを用いることができる。その場合、モルタルや接着剤でタイルをフロア２０の表面に貼り付ける。さらに、衛生設備室用床の施工順序は、前述したものに限定するものでなく、適宜、状況に応じて順序を入れ替えることができる。
【符号の説明】
【００３３】
１０…フレーム、１２ａ，１２ｂ…脚部、１６…作業用開口部、２０…フロア、２１…排水部フロア、２１ｄ…排水用溝、２１ｅ…排水口、２５…主フロア、３５…浴槽、Ａ…衛生設備室用床、水勾配…ａ，ｂ。
【図１】
0005721216.tif 000002
【図２】
0005721216.tif 000003
【図３】
0005721216.tif 000004
【図４】
0005721216.tif 000005
【図５】
0005721216.tif 000006
【図６】
0005721216.tif 000007
【図７】
0005721216.tif 000008
【図８】
0005721216.tif 000009
【図９】
0005721216.tif 000010